(57)【要約】【課題】  吹出口から吹出す空気を遠くまで飛ばすことができる空気調和機を提供する。  【解決手段】  ケーシングの吹出口から吹出す空気を吹出方向に導く導風パネルを設け、この導風パネルをケーシングに対して第１の回動軸周りに開閉回動自在とする。導風パネルを、カバーパネルと延長パネルとに分割し、カバーパネルを延長パネルに対して第２の回動軸周りに回動自在に支持する。カバーパネル回動機構は、ケーシング側に配設された駆動モータと、モータの駆動力をカバーパネル側に伝達するギヤ列とを備え、カバーパネルの回動時にカバーパネル側のギヤ列の一部がケーシング側のギヤとの噛合から離脱するのを防止する保持機構が設けられ、カバーパネル側のギヤの回転軸をケーシング側の係合フックで確実に抱き込み、動力伝達を確実にする。【選択図】  図９
2008138962.tif 000002
【特許請求の範囲】
【請求項１】
ケーシングの吹出口から吹出す空気を吹出方向に導く導風パネルを備え、該導風パネルは、その下端がケーシングに対して第１の回動軸周りに開閉回動自在に軸支され、該導風パネルを第１の回動軸周りに回動する導風パネル回動機構が設けられたことを特徴とする空気調和機。
【請求項２】
前記導風パネル回動機構は、ケーシングから出退自在に突出する回動アームを備え、該アームの先端が導風パネルに係脱自在に係合されたことを特徴とする請求項１に記載の空気調和機。
【請求項３】
前記第１の回動軸がケーシングに対して係脱自在に係止され、導風パネルが吹出口から取り外し自在とされたことを特徴とする請求項２に記載の空気調和機。
【請求項４】
前記導風パネルは、主に吹出口を覆うカバーパネルと、該カバーパネルの上側に配置される延長パネルとに分割され、前記カバーパネルが延長パネルに対して第２の回動軸周りに回動自在に支持され、前記カバーパネルを延長パネルに対して第２の回動軸周りに回動するカバーパネル回動機構が設けられたことを特徴とする請求項１〜３のいずれかに記載の空気調和機。
【請求項５】
前記延長パネルは、その両端部にパネルベースを備え、該パネルベースの下端部に前記第１の回動軸が設けられ、パネルベース間に吹出口から吹出す空気の通気部が設けられたことを特徴とする請求項４に記載の空気調和機。
【請求項６】
前記第２の回動軸がパネルベースの上端部に回動自在に軸支されたことを特徴とする請求項５に記載の空気調和機。
【請求項７】
前記カバーパネル回動機構は、ケーシング側に配設された駆動モータと、該モータの駆動力をカバーパネル側に伝達するギヤ列とを備え、カバーパネルの回動時にカバーパネル側のギヤ列の一部がケーシング側のギヤとの噛合から離脱するのを防止する保持機構が設けられたことを特徴とする請求項４に記載の空気調和機。
【請求項８】
前記保持機構は、前記カバーパネル側のギヤの回転軸を抱き込む係合フックと、該係合フックを前記ギヤの回転軸に対して係脱自在に回動させるフック駆動機構とを備えていることを特徴とする請求項７に記載の空気調和機。
【請求項９】
前記カバーパネルは、延長パネルと略直線状に配置されて一体的に連接された閉姿勢と、延長パネルに対して第２の回動軸周りに開回動して開放された開姿勢とに切換え自在とされ、前記カバーパネルを延長パネルに対して閉姿勢に保持する係止機構が設けられ、該係止機構は、カバーパネルと延長パネルのパネルベース側とのいずれか一方に設けられた係止爪と、該係止爪を係脱自在に係止する係合穴付きの係止レバーと、前記係止レバーを係止方向に付勢する付勢手段とから構成されたことを特徴とする請求項４に記載の空気調和機。
【請求項１０】
前記カバーパネルの回動時にカバーパネル側のギヤ列の一部がケーシング側のギヤとの噛合から離脱するのを防止する保持機構が設けられ、該保持機構は、前記カバーパネル側のギヤの回転軸を抱き込む係合フックと、該係合フックを前記ギヤの回転軸に対して係脱自在に回動させるフック駆動部とを備え、該フック駆動部からの動力を利用して前記係止レバーを付勢手段に抗して離脱方向に移動させることを特徴とする請求項９に記載の空気調和機。
【発明の詳細な説明】
【技術分野】
【０００１】
本発明は、空気調和機の室内ユニットの吹出口に設けられた導風パネルの回動機構に関するものである。
【背景技術】
【０００２】
空気調和機の室内ユニットとして、特許文献１には、吹出口に連続させて吹出風路を所定の範囲に絞る風路絞り部材を設け、該風路絞り部材を吹出口を開閉する第１パネルと、同第１パネルに併設された第２パネルとから構成し、両パネルにより、送風効率を高めて遠方まで吹出空気を届かせる空気調和機が開示されている。
【特許文献１】特開２００５−３１５５３８号公報
【発明の開示】
【発明が解決しようとする課題】
【０００３】
ところで、特許文献１に開示された空気調和機では、風路絞り部材を構成する第１パネルと第２パネルの回動機構が詳細に開示されているものではないが、その機構を考察すると複雑な機構になるものと想定される。
【０００４】
本発明は、上記に鑑み、吹出口から吹出す風を遠方まで飛ばすことができる導風パネルとその回動機構とを備えた空気調和機の提供を目的としている。
【課題を解決するための手段】
【０００５】
上記目的を達成するため、本発明に係る空気調和機は、ケーシングの吹出口から吹出す空気を吹出方向に導く導風パネルを備え、該導風パネルは、その下端がケーシングに対して第１の回動軸周りに開閉回動自在に軸支され、該導風パネルを第１の回動軸周りに回動する導風パネル回動機構が設けられたことを特徴とする。
【０００６】
上記構成によると、吹出口に導風パネルを回動自在に設けたので、吹出口から吹出す風を遠方まで飛ばすことができ、室内全体に渡って風を運ぶことができ、室内環境を良好にし得る。
【０００７】
前記導風パネル回動機構は、ケーシングから出退自在に突出する回動アームを備え、該アームの先端が導風パネルに係脱自在に係合される。回動アームを導風パネルから離脱させることにより、吹出口を大きく開口することができ、吹出口内部の清掃も容易に行える。
【０００８】
また、第１の回動軸がケーシングに対して係脱自在に係止され、導風パネルが吹出口から取り外し自在とされる。導風パネルを取り外し自在とすることで、吹出口の奥側にある部材、例えば、縦ルーバ及び横ルーバからなる風向変更装置や、さらにその奥側の室内ファンの清掃も容易に行える。
【０００９】
導風パネルは、主に吹出口を覆うカバーパネルと、該カバーパネルの上側に配置される延長パネルとに分割され、前記カバーパネルが延長パネルに対して第２の回動軸周りに回動自在に支持され、前記カバーパネルを延長パネルに対して第２の回動軸周りに回動するカバーパネル回動機構が設けられる。
【００１０】
上記構成によると、導風パネルを第１の回動軸周りに回動する姿勢のみならず、カバーパネルを延長パネルに対して回動させる姿勢をとることができるので、吹出口から吹出す風の流れ方向を斜め上から真下まで自由に選択することができる。
【００１１】
延長パネルは、その両端部にパネルベースを備え、該パネルベースの下端部に前記第１の回動軸が設けられ、パネルベース間に吹出口から吹出す空気の通気部が設けられる。
【００１２】
上記構成によると、延長パネルを構成するパネルベースが第１の回動軸周りに回動自在に軸支されるので、ケーシングに対して安定した開閉運動を行うことができる。
【００１３】
また、第２の回動軸がパネルベースの上端部に回動自在に軸支される。これにより、カバーパネルがパネルベースに対して回動自在とされる。
【００１４】
カバーパネル回動機構は、ケーシング側に配設された駆動モータと、該モータの駆動力をカバーパネル側に伝達するギヤ列とを備え、カバーパネルの回動時にカバーパネル側のギヤ列の一部がケーシング側のギヤとの噛合から離脱するのを防止する保持機構が設けられる。
【００１５】
上記構成によると、ケーシングに対して回動自在な導風パネル側に動力を伝達する場合でも、保持機構により、カバーパネル側のギヤ列の一部がケーシング側のギヤとの噛合から離脱するのを防止しているので、確実に動力を伝達することができる。
【００１６】
また、保持機構は、前記カバーパネル側のギヤの回転軸を抱き込む係合フックと、該係合フックを前記ギヤの回転軸に対して係脱自在に回動させるフック駆動部とを備える。これにより、カバーパネル側のギヤの回転軸をケーシング側の係合フックで確実に抱き込み、動力伝達を確実にすることができる。
【００１７】
また、カバーパネルは、延長パネルと略直線状に配置されて一体的に連接された閉姿勢と、延長パネルに対して第２の回動軸周りに開回動して開放された開姿勢とに切換え自在とされ、前記カバーパネルを延長パネルに対して閉姿勢に保持する係止機構が設けられ、該係止機構は、カバーパネルと延長パネルのパネルベース側とのいずれか一方に設けられた係止爪と、該係止爪を係脱自在に係止する係合穴付きの係止レバーと、前記係止レバーを係止方向に付勢する付勢手段とから構成される。
【００１８】
上記構成によると、係止機構により、カバーパネルと延長パネルとが一体的に回動する姿勢と、カバーパネルが延長パネルに対して開閉回動する姿勢とに確実に切り換えることができる。
【００１９】
また、カバーパネルの回動時にカバーパネル側のギヤ列の一部がケーシング側のギヤとの噛合から離脱するのを防止する保持機構が設けられ、該保持機構は、前記カバーパネル側のギヤの回転軸を抱き込む係合フックと、該係合フックを前記ギヤの回転軸に対して係脱自在に回動させるフック駆動部とを備え、該フック駆動部からの動力を利用して前記係止レバーを付勢手段に抗して離脱方向に移動させる。
【００２０】
上記構成によると、保持機構の動力を利用して係止レバーを移動させて係合穴から係止爪を離脱させることができる。
【発明の効果】
【００２１】
以上のように、本発明によると、吹出口に導風パネルを回動自在に設けたので、吹出口から吹出す風を遠方まで飛ばすことができ、室内全体に渡って風を運ぶことができ、室内環境を良好にし得る。
【発明を実施するための最良の形態】
【００２２】
図１は本実施形態のセパレート型空気調和機の室内ユニットの運転停止時の導風パネルの姿勢を示す斜視図、図２は同じくその側面断面図である。図３は室内ユニットの導風パネル開姿勢を示す斜視図、図４は室内ユニットのカバーパネル開姿勢を示す斜視図である。
【００２３】
図５は運転停止時の導風パネルの覆い姿勢を示す前面パネルの側面断面図、図６は導風パネルの導風姿勢を示す前面パネルの側面断面図、図７は同じく導風パネルの回動機構を示す前面パネルの側面断面図、図８はカバーパネルの開姿勢を示す前面パネルの側面断面図、図９は同じく保持機構を示す前面パネルの側面断面図、図１０はカバーパネル回動機構を示す前面パネルの側面断面図、図１１はギヤボックス内部の断面図、図１２はギヤボックスの側面図、図１３はカバーパネルの側面断面図である。
【００２４】
室内ユニット１は、図２に示すように、前面パネル２ａと後板２ｂ（キャビネット）とから箱状のケーシングが構成される。
【００２５】
前面パネル２ａは、背面が開放した箱状のものであって、上面に空気の吸込口３が形成され、前面下部に空気の吹出口４が形成される。後板２ｂは、冷凍サイクルの主要部品である熱交換器５や、室内ファン６を据え付ける。
【００２６】
ケーシング２の内部には、吸込口３から吹出口４に至る内部空気通路が形成され、この内部空気通路に熱交換器５と室内ファン６とが配設される。内部空気通路は、ケーシング上面の吸込口３から吸込んだ室内の空気をフィルタを通した後、熱交換器５で熱交換し、冷風又は温風として室内ファン６によって吹出口４から室内側に放出されるものである。
【００２７】
室内ファン６は、クロスフローファンであって、その回転軸の軸方向が左右方向とされる。室内ファン６は、内部空気通路において熱交換器５よりも吹出口４側に配置される。
【００２８】
吸込口３には、吸込んだ室内の空気から塵埃を除去するフィルタ２１と、このフィルタ２１を清掃する清掃装置２２とが設けられる。フィルタ清掃装置２２は、ケーシング２内でフィルタ２１を側面視でＵ字形に湾曲した移動案内路２４で移動させ、該移動案内路２４に面した塵埃除去ボックス２５の端部から吸引ファンにより、フィルタ２１と略平行方向（左右方向）に空気を流すことで、フィルタ２１に付着した塵埃を除去する。この際、塵埃除去ボックス内に回転ブラシを設け、フィルタ２１に付着した塵埃を掻き取るようにしてもよい。
【００２９】
吹出口４には、縦ルーバと横ルーバとからなる公知構造の風向変更装置２７が設けられ、吹出口４から吹出す風の向きを変更することができるようになっている。
【００３０】
吹出口４には、風向変更装置２７とは別に、ケーシング２の前面で吹出口４から吹出す風を遠方に導く導風パネル７が設けられる。導風パネル７は、その下端がケーシング２に対して第１の回動軸１０周りに開閉回動自在に軸支される。また、導風パネル７を第１の回動軸１０周りに回動する導風パネル回動機構３０が設けられる。
【００３１】
導風パネル７は、第１の回動軸１０周りに回動により、吹出口４から略水平方向に配置されて吹出口４から吹出す空気を略水平方向に導く導風姿勢と、ケーシング２の前面に沿って配置され、吹出口４を含むケーシングの前面の少なくとも下半分を覆う覆い姿勢とに切換え自在とされる。
【００３２】
導風パネル７の導風姿勢は、主として、冷房運転時に吹出口４から吹出された風を導風パネル７に沿って略水平方向ないし斜め上方に導き、室内の天井に沿って遠方に空気を導くときに採用される。
【００３３】
導風パネル７は、その覆い姿勢で、ケーシング２の前面下部から前面にかけて、吹出口４及びその周辺部分を被覆するように設置される。すなわち、導風パネル７は、吹出口４よりも大きく形成されており、ケーシング２の前面のほぼ全域を覆う大きさとされている。
【００３４】
導風パネル回動機構３０は、図７に示すように、ケーシング２のギヤボックス３５から出退自在に突出する回動アーム３１と、該回動アーム３１に形成されたラックギヤ３２に噛合する駆動ギヤ３３と、該駆動ギヤ３３を回転駆動するステッピングモータ等からなるアーム駆動モータ３４（図１２参照）とを備えている。
【００３５】
回動アーム３１は、側面視で横く字形に形成される。回動アーム３１の後端側の上面にはラックギヤ３２が形成される。ラックギヤ３２は、第１の回動軸１０を中心に円弧状に形成される。駆動ギヤ３３は、ラックギヤ３２に噛合う。ラックギヤ３２及び駆動ギヤ３３は前面パネル２ａの吹出口４の端部空間部に設置されたギヤボックス３５に内装される。
【００３６】
回動アーム３１の先端には、導風パネル７の延長パネル９に形成された横軸３７に係脱自在に係合する係合フック３８が形成され、導風パネル７がケーシング２に着脱自在に取り付けられている。
【００３７】
また、導風パネル７の第１の回動軸１０は、ケーシング２の断面Ｃ字形の軸受部３９に対して係脱自在に係止され、導風パネル７が吹出口４から取り外し自在とされる。導風パネル７を吹出口４から取り外すと、吹出口４の内部の清掃が容易となる。
【００３８】
さらに、導風パネル７は、主に吹出口４を覆うカバーパネル８と、該カバーパネルの上側に配置される延長パネル９とに分割される。カバーパネル８は、延長パネルに対して第２の回動軸１１周りに回動自在に支持される。そして、カバーパネル８を延長パネル９に対して第２の回動軸１１周りに回動するカバーパネル回動機構４０が設けられる。
【００３９】
カバーパネル回動機構４０は、ケーシング２側に配設された駆動モータ４１と、該モータ４１の駆動力をカバーパネル側に伝達するギヤ列４２ａ〜４２ｈとを備える。また、カバーパネル８の回動時にカバーパネル側のギヤ列４２ｇ、４２ｈの一部４２ｇがケーシング側のギヤ４２ａ〜４２ｆとの噛合から離脱するのを防止する保持機構４４が設けられる。
【００４０】
保持機構４４は、カバーパネル８側のギヤ４２ｇの回転軸を抱き込む係合フック４５と、該係合フック４５を前記ギヤの回転軸に対して係脱自在に回動させるフック駆動機構４６とを備える。
【００４１】
係合フック駆動機構４６は、ケーシング２側に配設された駆動モータ４７と、該モータ４７の駆動力をカバーパネル側に伝達するギヤ列４８ａ〜４８ｄとを備える。
【００４２】
ギヤ列４２ａ〜４２ｆおよびギヤ列４８ａ〜４８ｄは、図１１に示すように、ギヤボックス３５に内装される。また、ギヤボックス３５には、駆動モータ３４、４３、４７が取り付けられる。
【００４３】
延長パネル９は、その両端部に板状のパネルベース９ｂが吹出口４の湾曲形状に合わせて湾曲されつつ下方へ垂設される。パネルベース９ｂの下端部には第１の回動軸１０が設けられる。また、パネルベース９ｂ間に吹出口から吹出す空気の通気部９ａが設けられる。パネルベース９ｂの上端部には、第２の回動軸１１が回動自在に軸支されている。
【００４４】
カバーパネル８は、延長パネル９と略直線状に配置されて一体的に連接された閉姿勢と、延長パネル９に対して第２の回動軸１１周りに開回動して開放された開姿勢とに切換え自在とされる。
【００４５】
カバーパネル８を延長パネル９に対して閉姿勢に保持する係止機構５０が設けられる。係止機構５０は、カバーパネル８に設けられた係止爪５１と、該係止爪５１を係脱自在に係止する係合穴５２付きの係止レバー５３と、係止レバー５３を係止方向に付勢する付勢手段としてのばね５４とから構成される。
【００４６】
また、フック駆動機構４６からの動力を利用して係止レバー５３を付勢手段であるばね５４に抗して離脱方向に移動させるピン５５が設けられる。このピン５５は、保持機構４４に動力を伝達するギヤ列４８ａ〜４８ｄの中間地点で、軸５６周りに回動するカム５７の先端に形成される。カム５７の回動により、その先端に形成されたピン５５が係止レバー５３をばね５４に抗して押し、パネルベース９ｂに対してカバーパネル８を解放する。
【００４７】
また、導風パネル７は、吹出口４の背面側の湾曲した通路壁に連続して風を遠方に導くことができるように、カバーパネル８が側面視で凹曲面形状に形成され、逆に、延長パネル９では、カバーパネル８から導かれた風がケーシング上面の吸込口３に吸込まれてショートサーキットを起こさないように内側に凸曲面形状に形成される。
【００４８】
また、カバーパネル８および延長パネル９は、吹出口４から導かれる冷風と室内の空気との接触により導風パネル７の表側に結露するのを防止するため、その内側が断熱ポリウレタンフォームで成形される。
【００４９】
上記構成において、運転停止時には、図１、図２および図５に示すように、導風パネル７がケーシング２の前面に沿って吹出口を覆う覆い姿勢になっている。この状態では、導風パネル７はケーシング２のほぼ前面に配置された状態となっている。
【００５０】
冷房運転時に導風パネル７を第１の回動軸１０周りに回動して導風姿勢にすると、吹出口４から吹出した空気は、略水平方向の導風パネル７により、略水平方向ないし斜め上方へ遠方まで飛ばすことができる。したがって、室内ユニットを天井近くの壁面に据え付けた場合、吹出口４から吹出した冷風は天井面に沿って室内全体に行き渡り、室内全体を冷房することができる。
【００５１】
この状態を図３、図６及び図７に示す。導風パネル７を運転停止時の吹出口４を覆う覆い姿勢から略水平方向に回動した導風姿勢に切り換えるには、導風パネル回動機構３０を動作させる。駆動モータ３４を駆動すると、そのモータ軸に連結されたギヤ３３が回転し、このギヤ３３に噛合うラックギヤ３２を有する回動アーム３１が第１の回動軸１０を中心として前方に回動移動する。回動アーム３１の先端係合フック３８が延長パネル９の裏面のピン３７に係合しているため、回動アーム３１に押されて導風パネル７は、第１の回動軸１０周りに開回動する。
【００５２】
このとき、カバーパネル８を延長パネル９に対して閉姿勢に保持する係止機構５０が、図１３に示すように、ばね５４により係止爪５１を係合穴５２に係止した状態を保持するので、カバーパネル８と延長パネル９とは一体的に移動する。
【００５３】
また、カバーパネル回動機構４４では、保持機構４４の係合フック４５が導風パネル７側のギヤ４２ｇの回転軸を抱き込む姿勢から解除されているため、導風パネル７はこれらの機構に拘束されずに第１の回動軸１０周りに開回動することができる。
【００５４】
一方、暖房運転時や急速冷風を行いたい場合、カバーパネル８を第２の回動軸１１周りに開回動すると、カバーパネル８が垂直方向に向き、吹出口４から吹出した風が下方に導かれる。カバーパネル８の回動姿勢は種々変更することができる。例えば、カバーパネル８を最も開回動した「斜め下」姿勢から「下向き」、「真下」、そして「後向き」姿勢と順次閉方向に回動することができる。
【００５５】
この状態を図８〜図１０に示す。図８はカバーパネル回動機構４０の全体を示すものである。図９はカバーパネル８の回動時にカバーパネル側のギヤ列４２ｇ、４２ｈの一部４２ｇがケーシング側のギヤ４２ａ〜４２ｆとの噛合から離脱するのを防止する保持機構４４のギヤ列を示す。また、この保持機構４４の駆動力を利用したカバーパネル８を延長パネル９に対して閉姿勢に保持する係止機構５０についても図示する。図１０はカバーパネル８の回動機構４０のギヤ列を示す。
【００５６】
カバーパネル８を閉姿勢から開姿勢に切り換えるには、まず、保持機構４４のモータ４７を駆動する。このモータ４７の駆動により、そのモータ軸に直結しているギヤ４８ａが回転し、そのギヤ列４８ｂ〜４８ｄまで動力が伝達される。その途中には、係止機構５０のカム５７があり、このカムが回転することにより、ピン５５が係止レバー５３をばね５４に抗して移動させるので、係止レバー５３の係合穴５２に係止していた係止爪５１が外れる。
【００５７】
また、保持機構４４のギヤ列４８ａ〜４８ｄに動力が伝達されると、係合フック４５が回転し、カバーパネル８側のギヤ４８ｇの回転軸を抱き込み、ケーシング側のギヤ列との噛合いを確保する。
【００５８】
次に、カバーパネル回動機構４０を駆動する。カバーパネル回動機構４０では、その駆動モータ４１からの駆動力がギヤ列４２ａ〜４２ｈに伝達され、最終ギヤ４２ｈが一体化された第２の回動軸１１が回転することになる。この回転によりカバーパネル８は第２の回動軸１１周りに開回動する。
【００５９】
なお、図５に示す運転停止状態で、導風パネル７を斜め上方に持ち上げ、延長パネル９の横軸３７から回動アーム３１を取り外し、また、ケーシング２の軸受部３９から第１の回動軸１０を取り外せば、導風パネル７を吹出口４から取り外すことができる。これにより、吹出口４が大きく開口されるので、ルーバを備えた風向変更装置２７などの清掃を容易に行うことができる。
【００６０】
また、カバーパネル回動機構４０として、導風パネル回動機構と同様に回動アームを用いることもできるが、本実施形態では、第２の回動軸１１の周りのギヤ列によりカバーパネル８を開閉駆動している。これは、カバーパネル８を駆動するギヤ列４２ａ〜４２ｈのほとんどがギヤボックス３５内に隠れ、露出部分を少なくすることができるためである。これにより、使用者側からはほとんど見えず、外観上好ましい回動機構を提供することができる。
【００６１】
また、導風パネルが第１の回動軸１０を中心に回動して水平または上方に引き出す姿勢をとった後、閉成する場合、ギヤ４２ｇとギヤ４２ｆが再度噛合うこととなる。このとき、ギヤのバックラッシュなどの影響で、ギヤ４２ｇとギヤ４２ｆがうまく噛合わない場合が生じるおそれがある。この場合、モータ４３を駆動っしてギヤ４２ａを回転させ、さらに、ギヤ４２ｆを若干量、例えばギヤ４２ｆの歯ピッチの半分程度を、導風パネル７の閉成直前に回転させることにより、ギヤ４２ｇとギヤ４２ｆとをうまく噛合わせることができる。
【００６２】
また、本実施形態の導風パネル回動機構３０やカバーパネル回動機構４０は、導風パネル７の左右方向の両端部にそれぞれ設けると、開閉動作のバランスが取れるので望ましいが、片側のみに設けても差し支えない。あるいは、導風パネル回動機構３０やカバーパネル回動機構４０を左右両端に分けて配置してもよい。
【００６３】
なお、本発明は、上記実施形態に限定されるものではなく、本発明の範囲内で多くの修正・変更を加えることができるのは勿論である。例えば、カバーパネルと延長パネルとを一体化する係止機構５０において、係止爪は、カバーパネルと延長パネルのパネルベース側とのいずれか一方に設け、他方に係止爪を係脱自在に係止する係合穴付きの係止レバーを設ければよい。
【図面の簡単な説明】
【００６４】
【図１】本発明に係る空気調和機の室内ユニットの運転停止時における斜視図
【図２】図１における室内ユニットの側面断面図
【図３】室内ユニットの導風パネル開姿勢を示す斜視図
【図４】室内ユニットのカバーパネル開姿勢を示す斜視図
【図５】運転停止時の導風パネルの覆い姿勢を示す前面パネルの側面断面図
【図６】導風パネルの導風姿勢を示す前面パネルの側面断面図
【図７】導風パネルの回動機構を示す前面パネルの側面断面図
【図８】カバーパネルの開姿勢を示す前面パネルの側面断面図
【図９】保持機構を示す前面パネルの側面断面図
【図１０】カバーパネル回動機構を示す前面パネルの側面断面図
【図１１】ギヤボックス内部の断面図
【図１２】ギヤボックスの側面図
【図１３】カバーパネルの側面断面図
【符号の説明】
【００６５】
１      室内ユニット
２      ケーシング
３      吸込口
４      吹出口
５      熱交換器
６      室内ファン
７      導風パネル
８      カバーパネル
９      延長パネル
９ａ    通気部
９ｂ    パネルベース
１０    第１回動軸
１１    第２回動軸
２１    フィルタ
２２    フィルタ清掃装置
２４    移動案内路
２５    塵埃除去ボックス
３０    導風パネル回動機構
３１    回動アーム
３２    ラックギヤ
３３    駆動ギヤ
３４    駆動モータ
３５    ギヤボックス
３７    横軸
３８    係合フック
３９    軸受部
４０    カバーパネル回動機構
４１    駆動モータ
４２ａ〜４２ｈ    ギヤ
４４    保持機構
４５    係合フック
４６    フック駆動機構
４７    駆動モータ
４８ａ〜４８ｄ    ギヤ
５０    係止機構
５１    係止爪
５２    係合穴
５３    係止レバー
５４    ばね（付勢手段）
５５    ピン
５６    軸
５７    カム
【図１】
2008138962.tif 000003
【図２】
2008138962.tif 000004
【図３】
2008138962.tif 000005
【図４】
2008138962.tif 000006
【図５】
2008138962.tif 000007
【図６】
2008138962.tif 000008
【図７】
2008138962.tif 000009
【図８】
2008138962.tif 000010
【図９】
2008138962.tif 000011
【図１０】
2008138962.tif 000012
【図１１】
2008138962.tif 000013
【図１２】
2008138962.tif 000014
【図１３】
2008138962.tif 000015